(57)【要約】【課題】            コネクタのハウジング内のターミナルは自由端を接触子として接続対象物に弾力的に接触する。しかし、ひき回しによる位置変化により接触圧が安定しない。【解決手段】        ハウジング（２）内のターミナル（４，４’）は交互に形状を異にし、奇数番目のターミナル（４）は水平片（８）と屈曲部（１０’）からなるバネ部を有し、Ｕ字部（１０）のバネ部の弾力を効果的に発揮される。偶数番目のターミナル（４’）は水平片（１６）と垂下片（１７）とからなるバネ部を有し、Ｕ字部（１０）のバネ部の弾力を効果的に発揮される。アクチュエータ（３）を９０度回動させるまでは弾性部（１８）が接続対象物（６）の仮保持を行う。【選択図】          図１
2006092989.tif 000002
【特許請求の範囲】
【請求項１】
ハウジングと、ハウジングに保持されるターミナルと、ハウジングに回動自在に保持されかつターミナルの接触子を接続対象物方向に押圧可能なアクチュエータとを備え、
前記ハウジングが接続対象物を受ける挿入口を有し、
前記ターミナルが自由先端部を接触子とするＵ字部と、該Ｕ字部と一体のバネ部と、外部に露出する半田付け部を有する基部とを備え、
前記アクチュエータが前記ターミナルのＵ字部を押圧するカム部を有することを特徴とするコネクタ。
【請求項２】
前記ターミナルのバネ部が、基部と略平行に延在する平行片と、Ｕ字部に接続される屈曲部とからなる請求項１記載のコネクタ。
【請求項３】
前記ターミナルのバネ部が、垂下片と水平片とからなる略Ｌ字部からなり、前記ターミナルが基部と平行に延在しかつ弾性部としての仮保持片を有する請求項１記載のコネクタ。
【請求項４】
前記ターミナルが１つのハウジング内に複数個並設され、１つのアクチュエータにより同時にその接触子を接続対象物に圧接させる請求項２又は３記載のコネクタ。
【請求項５】
複数個並設させたターミナルが屈曲部を有する前記ターミナルと、Ｌ字部と水平片とを有する前記ターミナルとを交互に配したことを特徴とする請求項４記載のコネクタ。
【発明の詳細な説明】
【技術分野】
【０００１】
本発明は、フレキシブルプリント基板（ＦＰＣ）やフレキシブルフラットケーブル（ＦＦＣ）等の接続対象物用コネクタに関する。
【背景技術】
【０００２】
パーソナルコンピューターやテレビジョン受像器、ゲーム機器、携帯電話等の急速な普及に伴い、プリント配線板等にコネクタを半田付けし、このコネクタにフレキシブルプリント基板（ＦＰＣ）やフレキシブルフラットケーブル（ＦＦＣ）等の接続対象物を挿入し、コネクタ内の各ターミナルにＦＰＣやＦＦＣ等の接続対象物の各ケーブルを電気的に導通状態となるよう圧接させている。
特に、液晶パネルのバックライトのための電気回路にはこの種のコネクタは欠かせない。即ち、近接した蛍光管のリード線への半田付け作業をコネクタが不要とさせることから、液晶パネルを用いた電気回路や多数の電子部品との電気的接続にはコネクタは必須部品となっている。
【０００３】
この種のコネクタは合成樹脂製のハウジング内に導電材からなるターミナル（端子）を複数個並設して配した構成を有し、ハウジング内にＦＰＣ又はＦＦＣを挿入した後、ハウジングに回動自在に支持されたアクチュエータを動作させ、各ターミナルの接触子を接続対象物の対応ケーブルに夫々圧接させて電気的導通関係を得ている。
このコネクタは、接続対象物の各ケーブルをプリント配線板等に直接半田付けする必要がなく多用されている。
【０００４】
【特許文献１】特許第３２２２８４２号明細書
【特許文献２】特開２００２−３６７７３０号公報
【発明の開示】
【発明が解決しようとする課題】
【０００５】
従来のコネクタは、ターミナルの本体から略水平に接触片を延在させその自由端を接触子としている。接触子の接続対象物への圧接は接触片のもつ弾力に依存している。
【０００６】
しかしながら、接続対象物のひき回しが故意的又は振動等で生じたとき、接続対象物がコネクタに対してずれ、ターミナルの接触子と接続対象物との接点が正しい位置に維持されないことがある。
【０００７】
それ故に、本発明は前述した従来技術の不具合を解消させることを解決すべき課題とする。
【課題を解決するための手段】
【０００８】
本発明は前述した課題を解決するために、基本的には、ターミナルのＵ字部とＵ字部と対向する弾性部とを有するコネクタを提供する。フレキシブルプリント基板（ＦＰＣ）やフレキシブルフラットケーブル（ＦＦＣ）のような接続対象物をＵ字部と弾性部との間に挿入したとき接続対象物を両部で挟持させる。これによりひき回しによる不具合を解消させる。
【０００９】
本発明によれば、ハウジングと、ハウジングに保持されるターミナルと、ハウジングに回動自在に保持されかつターミナルの接触子を接続対象物方向に押圧可能なアクチュエータとを備え、前記ハウジングが接続対象物を受ける挿入口を有し、前記ターミナルが自由先端部を接触子とするＵ字部と、該Ｕ字部と一体のバネ部と、外部に露出する半田付け部を有する基部とを備え、前記アクチュエータが前記ターミナルのＵ字部を押圧するカム部を有することを特徴とするコネクタが提供される。
【００１０】
好ましくは、前記ターミナルのバネ部が、基部と略平行に延在する平行片と、Ｕ字部に接続される屈曲部とからなる。さらに、前記ターミナルのバネ部が、垂下片と水平片とからなる略Ｌ字部からなり、前記ターミナルが基部と平行に延在しかつ弾性部としての仮保持片を有する。
【００１１】
さらに好ましくは、複数個並設させたターミナルが屈曲部を有する前記ターミナルと、Ｌ字部と水平片とを有する前記ターミナルとを交互に配したことを特徴とする。
【発明の効果】
【００１２】
本発明によれば、接続対象物は、ターミナルの仮保持片により挟持され、ひき回しに対して接続対象物を所定位置に保持できる。
接触子は、Ｕ字部とバネ部との２段の弾力を受け、接続対象物への押圧力、接触点を一定とさせ得る。
【発明を実施するための最良の形態】
【００１３】
図１を参照する。コネクタ１は、非導電性の合成樹脂製のハウジング２と、ハウジング２に対して回動自在に支持されたアクチュエータ３、ハウジング２内に複数個離間して並設されるターミナル４，４’を備える。
【００１４】
ハウジング２は、ターミナル４，４’を配す空間を画定する隔壁を切り欠いた形の挿入口５を有す。挿入口５は、フレキシブルプリント基板（ＦＰＣ）やフレキシブルフラットケーブル（ＦＦＣ）等の接続対象物６をハウジング２内に収納させるために用いられる。
【００１５】
図４と図５を用い奇数番目に配されるターミナル４を、又、図６と図７を用いて偶数番目に配されるターミナル４’を説明する。
図４と図５を参照する。ターミナル４は、ハウジング２の底壁に支持される基部７と、基部７と略平行に延在するバネ部としての水平片８と、接触子９を有するＵ字部１０と、Ｕ字部１０と水平片８とを一体に結合するバネ部としての屈曲部１０’とからなる。Ｕ字部１０は突部１２を有す。
接触子９は水平片８と離間対向し、この間に接続対象物６が挿入される。基部７の一部に半田付け部１１が設けられる。半田付け部１１は図示しないプリント配線基板等に半田付けされ、コネクタ１がプリント配線基板等に固定される。
【００１６】
アクチュエータ３はハウジング２の長手方向に延在し、ハウジング２の前端部１３と当接自在なくぼみ部１４と、ターミナル４を弾性変形させるカム部１５を有し、図４の非動作位置から図５の動作位置へと回動自在となっている。突部１２はアクチュエータ３のハウジング２からの外れを防止する。
図４に示す状態で、接続対象物６を挿入口５よりハウジング２間に挿入し、接続対象物６をハウジング２内に挿入した状態を得た後、図５に示すようにアクチュエータ３を９０度回転させてカム部１５でターミナル４の一部（１０と１０’間のバネ部）を押し下げる。このカム部１５の動きは、Ｕ字部１０の弾力と屈曲部１０’の２段弾力により接触子９を接続対象物６に接触させ、安定した即ち一定の電気抵抗の下での電気的接触が得られる。
【００１７】
図６と図７に偶数番目のターミナル４’を示す。ターミナル４’は基部７と平行に延在する弾性部１８を有し、該弾性部１８がその端部を自由端とする仮保持片となる。
Ｕ字部１０は、バネ部としての垂下片１７と水平片１６に接続され、ターミナル４’の上部に支持される。Ｕ字部１０と、バネ部としての水平片１６と垂下片１７とが２段弾力を作る。
弾性部１８は、接続対象物６が挿入口５よりハウジング２内に収容されると、接続対象物６の仮保持をなし、ひき回しに対して接続対象物６をターミナル４’に対して正しい位置に維持する。１１は半田付け部を示す。
【００１８】
接続対象物６をハウジング２内に挿入した後、アクチュエータ３を９０度回動させて図７の状態を作る。アクチュエータ３のカム部１５が接触子９をＵ字部１０とバネ部１６，１７との２段弾力の下で、接続対象物６と一定の電気抵抗で接触させ、安定した通電を可能にする。又、２段弾力の下での接触は、ひき回しに対しても追従性を有し接触子９に対して正しい位置を維持させ安定した通電を可能にする。
【００１９】
本例では、奇数番目のターミナル４と偶数番目のターミナル４’とのバネ部の形状を変え、しかも２段弾力を可能とさせている。さらに、弾性部１８による接続対象物６の仮保持はひき回しに対してもハウジング２に対する接続対象物６の位置を安定させる。
【図面の簡単な説明】
【００２０】
【図１】本発明の一例によるコネクタの斜視図である。
【図２】奇数番目のターミナル部分での断面を有する斜視図である。
【図３】偶数番目のターミナル部分での断面を有する斜視図である。
【図４】図２に示す断面部分を拡大した断面図である。
【図５】図４に示す例において、アクチュエータを動作させた状態を示す断面図である。
【図６】図３に示す断面部分を拡大した断面図である。
【図７】図６に示す例において、アクチュエータを動作させた状態を示す断面図である。
【符号の説明】
【００２１】
１    コネクタ
２    ハウジング
３    アクチュエータ
４，４’    ターミナル
５    挿入口
６    接続対象物
７    基部
８    水平片
９    接触子
１０    Ｕ字部
１０’    屈曲部（バネ部）
１１    半田付け部
１２    突部
１５    カム部
１６，１７    バネ部（水平片、垂下片）
１８    弾性部（仮保持片）
【図１】
2006092989.tif 000003
【図２】
2006092989.tif 000004
【図３】
2006092989.tif 000005
【図４】
2006092989.tif 000006
【図５】
2006092989.tif 000007
【図６】
2006092989.tif 000008
【図７】
2006092989.tif 000009